(57)【特許請求の範囲】
【請求項１】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の最初に公営競技が開催される日を、そのユニットの的中投票券を決定する対象レース日とする情報処理を行う日程設定部と、
前記日程設定部で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当部で割り当てられた投票券の中から的中投票券を決定する情報処理を行う的中券決定部と、
を有する的中投票券決定システム。
【請求項２】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の最初に公営競技が開催される日を、そのユニットの的中投票券を決定する対象レース日とする情報処理を行う日程設定部と、
前記日程設定部で対象レース日とされた日に開催される最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当部で割り当てられた投票券の中から的中投票券を決定する情報処理を行う的中券決定部と、
を有する的中投票券決定システム。
【請求項３】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号又は記号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の最初に公営競技が開催される日を、そのユニットの的中投票券を決定する対象レース日とする情報処理を行う日程設定部と、
前記日程設定部で対象レース日とされた日において直近に行われるレースを開始レースとして、その開始レース以降、最初に成立したレースの１着ナンバーが奇数であるか偶数であるかに基づいて決定した番号又は記号，２番目に成立したレースの１着ナンバーが奇数であるか偶数であるかに基づいて決定した番号又は記号，３番目に成立したレースの１着ナンバーが奇数であるか偶数であるかに基づいて決定した番号又は記号，４番目に成立したレースの１着ナンバーが奇数であるか偶数であるかに基づいて決定した番号又は記号，５番目に成立したレースの１着ナンバーが奇数であるか偶数であるかに基づいて決定した番号又は記号，６番目に成立したレースの１着ナンバーが奇数であるか偶数であるかに基づいて決定した番号又は記号，７番目に成立したレースの１着ナンバーが奇数であるか偶数であるかに基づいて決定した番号又は記号，８番目に成立したレースの１着ナンバーが奇数であるか偶数であるかに基づいて決定した番号又は記号，９番目に成立したレースの１着ナンバーが奇数であるか偶数であるかに基づいて決定した番号又は記号，１０番目に成立したレースの１着ナンバーが奇数であるか偶数であるかに基づいて決定した番号又は記号，１１番目に成立したレースの１着ナンバーが奇数であるか偶数であるかに基づいて決定した番号又は記号，１２番目に成立したレースの１着ナンバーが奇数であるか偶数であるかに基づいて決定した番号又は記号を的中番号又は的中記号として、前記投票券割当部で割り当てられた投票券の中から的中投票券を決定する情報処理を行う的中券決定部と、
を有する的中投票券決定システム。
【請求項４】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号又は記号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の最初に公営競技が開催される日を、そのユニットの的中投票券を決定する対象レース日とする情報処理を行う日程設定部と、
前記日程設定部で対象レース日とされた日に開催される最終レースの１１前のレースの１着ナンバーが奇数であるか偶数であるかに基づいて決定した番号又は記号，前記最終レースの１０前のレースの１着ナンバーが奇数であるか偶数であるかに基づいて決定した番号又は記号，前記最終レースの９つ前のレースの１着ナンバーが奇数であるか偶数であるかに基づいて決定した番号又は記号，前記最終レースの８つ前のレースの１着ナンバーが奇数であるか偶数であるかに基づいて決定した番号又は記号，前記最終レースの７つ前のレースの１着ナンバーが奇数であるか偶数であるかに基づいて決定した番号又は記号，前記最終レースの６つ前のレースの１着ナンバーが奇数であるか偶数であるかに基づいて決定した番号又は記号，前記最終レースの５つ前のレースの１着ナンバーが奇数であるか偶数であるかに基づいて決定した番号又は記号，前記最終レースの４つ前のレースの１着ナンバーが奇数であるか偶数であるかに基づいて決定した番号又は記号，前記最終レースの３つ前のレースの１着ナンバーが奇数であるか偶数であるかに基づいて決定した番号又は記号，前記最終レースの２つ前のレースの１着ナンバーが奇数であるか偶数であるかに基づいて決定した番号又は記号，前記最終レースの１つ前のレースの１着ナンバーが奇数であるか偶数であるかに基づいて決定した番号又は記号，前記最終レースの１着ナンバーが奇数であるか偶数であるかに基づいて決定した番号又は記号を的中番号又は的中記号として、前記投票券割当部で割り当てられた投票券の中から的中投票券を決定する情報処理を行う的中券決定部と、
を有する的中投票券決定システム。
【請求項５】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の直近に行われるレースが最終レースの５つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部と、
前記日程設定部で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当部で割り当てられた投票券の中から的中投票券を決定する情報処理を行う的中券決定部と、
を有する的中投票券決定システム。
【請求項６】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の直近に行われるレースが最終レースの３つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部と、
前記日程設定部で対象レース日とされた日に行われる最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当部で割り当てられた投票券の中から的中投票券を決定する情報処理を行う的中券決定部と、
を有する的中投票券決定システム。
【請求項７】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号又は記号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の直近に行われるレースが最終レースの１１以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部と、
前記日程設定部で対象レース日とされた日において直近に行われるレースを開始レースとして、その開始レース以降、最初に成立したレースの１着ナンバーが奇数であるか偶数であるかに基づいて決定した番号又は記号，２番目に成立したレースの１着ナンバーが奇数であるか偶数であるかに基づいて決定した番号又は記号，３番目に成立したレースの１着ナンバーが奇数であるか偶数であるかに基づいて決定した番号又は記号，４番目に成立したレースの１着ナンバーが奇数であるか偶数であるかに基づいて決定した番号又は記号，５番目に成立したレースの１着ナンバーが奇数であるか偶数であるかに基づいて決定した番号又は記号，６番目に成立したレースの１着ナンバーが奇数であるか偶数であるかに基づいて決定した番号又は記号，７番目に成立したレースの１着ナンバーが奇数であるか偶数であるかに基づいて決定した番号又は記号，８番目に成立したレースの１着ナンバーが奇数であるか偶数であるかに基づいて決定した番号又は記号，９番目に成立したレースの１着ナンバーが奇数であるか偶数であるかに基づいて決定した番号又は記号，１０番目に成立したレースの１着ナンバーが奇数であるか偶数であるかに基づいて決定した番号又は記号，１１番目に成立したレースの１着ナンバーが奇数であるか偶数であるかに基づいて決定した番号又は記号，１２番目に成立したレースの１着ナンバーが奇数であるか偶数であるかに基づいて決定した番号又は記号を的中番号又は的中記号として、前記投票券割当部で割り当てられた投票券の中から的中投票券を決定する情報処理を行う的中券決定部と、
を有する的中投票券決定システム。
【請求項８】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、
決められた発行数によって構成されたひとつのユニットの中では重複しないように番号又は記号が付されている投票券を、購入予約した会員のＩＤに対して、アトランダムに割り当てる情報処理を行う投票券割当部と、
前記コンピューターシステムに含まれるレース情報データベースに記憶されている公営競技が開催される日のうち、前記投票券割当部における前記ひとつのユニットに含まれるすべての投票券の割り当て処理が完了した後の直近に行われるレースが最終レースの１１以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部と、
前記日程設定部で対象レース日とされた日に行われる最終レースの１１前のレースの１着ナンバーが奇数であるか偶数であるかに基づいて決定した番号又は記号，前記最終レースの１０前のレースの１着ナンバーが奇数であるか偶数であるかに基づいて決定した番号又は記号，前記最終レースの９つ前のレースの１着ナンバーが奇数であるか偶数であるかに基づいて決定した番号又は記号，前記最終レースの８つ前のレースの１着ナンバーが奇数であるか偶数であるかに基づいて決定した番号又は記号，前記最終レースの７つ前のレースの１着ナンバーが奇数であるか偶数であるかに基づいて決定した番号又は記号，前記最終レースの６つ前のレースの１着ナンバーが奇数であるか偶数であるかに基づいて決定した番号又は記号，前記最終レースの５つ前のレースの１着ナンバーが奇数であるか偶数であるかに基づいて決定した番号又は記号，前記最終レースの４つ前のレースの１着ナンバーが奇数であるか偶数であるかに基づいて決定した番号又は記号，前記最終レースの３つ前のレースの１着ナンバーが奇数であるか偶数であるかに基づいて決定した番号又は記号，前記最終レースの２つ前のレースの１着ナンバーが奇数であるか偶数であるかに基づいて決定した番号又は記号，前記最終レースの１つ前のレースの１着ナンバーが奇数であるか偶数であるかに基づいて決定した番号又は記号，前記最終レースの１着ナンバーが奇数であるか偶数であるかに基づいて決定した番号又は記号を的中番号又は的中記号として、前記投票券割当部で割り当てられた投票券の中から前記的中投票券を決定する情報処理を行う的中券決定部と、
を有する的中投票券決定システム。
【請求項９】
請求項１から請求項８までのいずれか１項に記載の的中投票券決定システムにおいて、
前記日程設定部で対象レース日とされた日を、前記投票券の購入予約した会員の端末に対して通知する日程通知部を有する、
的中投票券決定システム。
【請求項１０】
請求項１から請求項９までのいずれか１項に記載の的中投票券決定システムにおいて、
前記ユニットは、投票券の単価ごとに設定されている、
的中投票券決定システム。
【請求項１１】
請求項１から請求項１０までのいずれか１項に記載の的中投票券決定システムにおいて、
投票券を購入予約した会員のＩＤに対してアトランダムに割り当てるときに、投票券の仮発行処理を行う仮発行部と、
レース結果当日に決済して、投票券の正式発行処理を行う正式発行部と、
を有する的中投票券決定システム。
【請求項１２】
請求項１から請求項１１までのいずれか１項に記載の的中投票券決定システムにおいて、
前記或るユニットが完売した後、別のユニットの販売を開始する、
的中投票券決定システム。
【請求項１３】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、
前記コンピューターシステムが、
決められた発行数によって構成されたひとつのユニットの中では重複しないように番号が付されている投票券を、購入予約した会員のＩＤに対して、アトランダムに割り当てる情報処理を行う投票券割当工程と、
前記コンピューターシステムに含まれるレース情報データベースに記憶されている公営競技が開催される日のうち、前記投票券割当工程における前記ひとつのユニットに含まれるすべての投票券の割り当て処理が完了した後の最初に公営競技が開催される日にちを、そのユニットの的中投票券を決定する対象レース日とする情報処理を行う日程設定工程と、
前記日程設定工程で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当工程で割り当てられた投票券の中から的中投票券を決定する情報処理を行う的中券決定工程と、
を有する的中投票券決定システムの情報処理方法。
【請求項１４】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、
前記コンピューターシステムが、
決められた発行数によって構成されたひとつのユニットの中では重複しないように番号が付されている投票券を、購入予約した会員のＩＤに対して、アトランダムに割り当てる情報処理を行う投票券割当工程と、
前記コンピューターシステムに含まれるレース情報データベースに記憶されている公営競技が開催される日のうち、前記投票券割当工程における前記ひとつのユニットに含まれるすべての投票券の割り当て処理が完了した後の最初に公営競技が開催される日にちを、そのユニットの的中投票券を決定する対象レース日とする情報処理を行う日程設定工程と、
前記日程設定工程で対象レース日とされた日に開催される最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当工程で割り当てられた投票券の中から的中投票券を決定する情報処理を行う的中券決定工程と、
を有する的中投票券決定システムの情報処理方法。
【請求項１５】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、
前記コンピューターシステムが、
決められた発行数によって構成されたひとつのユニットの中では重複しないように番号が付されている投票券を、購入予約した会員のＩＤに対して、アトランダムに割り当てる情報処理を行う投票券割当工程と、
前記コンピューターシステムに含まれるレース情報データベースに記憶されている公営競技が開催される日のうち、前記投票券割当工程における前記ひとつのユニットに含まれるすべての投票券の割り当て処理が完了した後の直近に行われるレースが最終レースの５つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定工程と、
前記日程設定工程で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当工程で割り当てられた投票券の中から的中投票券を決定する情報処理を行う的中券決定工程と、
を有する的中投票券決定システムの情報処理方法。
【請求項１６】
ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、
前記コンピューターシステムが、
決められた発行数によって構成されたひとつのユニットの中では重複しないように番号が付されている投票券を、購入予約した会員のＩＤに対して、アトランダムに割り当てる情報処理を行う投票券割当工程と、
前記コンピューターシステムに含まれるレース情報データベースに記憶されている公営競技が開催される日のうち、前記投票券割当工程における前記ひとつのユニットに含まれるすべての投票券の割り当て処理が完了した後の直近に行われるレースが最終レースの３つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定工程と、
前記日程設定工程で対象レース日とされた日に行われる最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当工程で割り当てられた投票券の中から的中投票券を決定する情報処理を行う的中券決定工程と、
を有する的中投票券決定システムの情報処理方法。
【発明の詳細な説明】
【技術分野】
【０００１】
この発明は、公営競技(競馬・競艇・自転車競走(競輪)・小型自動車競走(オートレース)など)のレース結果を利用して的中投票券を決定するシステム及び方法に関する。
【背景技術】
【０００２】
従来の公営競技には、単勝式，複勝式，連勝単式，連勝複式といったさまざまな賭式がある。さらに近時は、単勝式などを重ねる重勝式という賭式も導入されている(特許文献１)。
【０００３】
重勝式は、的中すれば払戻額が大きいものの、競走対象の組み合わせ数が膨大であり、的中率が非常に低い。的中券が存在しない場合もある。また払戻額には上限が定められており、それを越える場合もある。それらのような場合に、払戻金が次回に持ち越されるキャリーオーバーが導入されている(特許文献２)。
【先行技術文献】
【特許文献】
【０００４】
【特許文献１】特開２００６−  ７９３６４号公報
【特許文献２】特開２００６−１８５１３１号公報
【発明の概要】
【発明が解決しようとする課題】
【０００５】
しかしながら、キャリーオーバー制を採用しても、重勝式は競走対象の組み合わせ数が膨大であって的中率が非常に低いため、的中券が存在せず、キャリーオーバーが繰り返されることもある。そのため、興趣を示さない投票者も少なくない。また従来は、的中投票券を決定する日にち（レース）が固定されていたので、十分な投票数が集まらない可能性があった。さらに、単勝式，複勝式といった従来からある賭式では、着順を予想する必要がある。経験者にとっては、着順を予想すること自体が楽しいものであるが、未経験者にとって非常に難しく、気軽に購入しようという気がおきない。
【０００６】
本発明は、このような従来の問題点に着目してなされた。本発明の目的は、レース投票者の興趣を向上させる的中投票券決定システム及び的中投票券決定方法を提供することである。
【課題を解決するための手段】
【０００７】
本発明は以下のような解決手段によって前記課題を解決する。なお、理解を容易にするために本発明の実施形態に対応する符号を付するが、これに限定されるものではない。また符号を付して説明した構成は適宜代替しても改良してもよい。
【０００８】
第１の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の最初に公営競技が開催される日を、そのユニットの的中投票券を決定する対象レース日とする情報処理を行う日程設定部（Ｓ１４０）と、前記日程設定部（Ｓ１４０）で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当部（Ｓ１２０）で割り当てられた投票券の中から的中投票券を決定する情報処理を行う的中券決定部（Ｓ２２０）と、を有する的中投票券決定システムである。
【０００９】
第２の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の最初に公営競技が開催される日を、そのユニットの的中投票券を決定する対象レース日とする情報処理を行う日程設定部（Ｓ１４０）と、前記日程設定部（Ｓ１４０）で対象レース日とされた日に開催される最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当部（Ｓ１２０）で割り当てられた投票券の中から的中投票券を決定する情報処理を行う的中券決定部（Ｓ２２０）と、を有する的中投票券決定システムである。
【００１０】
第３の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号又は記号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の最初に公営競技が開催される日を、そのユニットの的中投票券を決定する対象レース日とする情報処理を行う日程設定部（Ｓ１４０）と、前記日程設定部（Ｓ１４０）で対象レース日とされた日において直近に行われるレースを開始レースとして、その開始レース以降、最初に成立したレースの１着ナンバーが奇数であるか偶数であるかに基づいて決定した番号又は記号，２番目に成立したレースの１着ナンバーが奇数であるか偶数であるかに基づいて決定した番号又は記号，３番目に成立したレースの１着ナンバーが奇数であるか偶数であるかに基づいて決定した番号又は記号，４番目に成立したレースの１着ナンバーが奇数であるか偶数であるかに基づいて決定した番号又は記号，５番目に成立したレースの１着ナンバーが奇数であるか偶数であるかに基づいて決定した番号又は記号，６番目に成立したレースの１着ナンバーが奇数であるか偶数であるかに基づいて決定した番号又は記号，７番目に成立したレースの１着ナンバーが奇数であるか偶数であるかに基づいて決定した番号又は記号，８番目に成立したレースの１着ナンバーが奇数であるか偶数であるかに基づいて決定した番号又は記号，９番目に成立したレースの１着ナンバーが奇数であるか偶数であるかに基づいて決定した番号又は記号，１０番目に成立したレースの１着ナンバーが奇数であるか偶数であるかに基づいて決定した番号又は記号，１１番目に成立したレースの１着ナンバーが奇数であるか偶数であるかに基づいて決定した番号又は記号，１２番目に成立したレースの１着ナンバーが奇数であるか偶数であるかに基づいて決定した番号又は記号を的中番号又は的中記号として、前記投票券割当部（Ｓ１２０）で割り当てられた投票券の中から的中投票券を決定する情報処理を行う的中券決定部（Ｓ２２０）と、を有する的中投票券決定システムである。
【００１１】
第４の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号又は記号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の最初に公営競技が開催される日を、そのユニットの的中投票券を決定する対象レース日とする情報処理を行う日程設定部（Ｓ１４０）と、前記日程設定部（Ｓ１４０）で対象レース日とされた日に開催される最終レースの１１前のレースの１着ナンバーが奇数であるか偶数であるかに基づいて決定した番号又は記号，前記最終レースの１０前のレースの１着ナンバーが奇数であるか偶数であるかに基づいて決定した番号又は記号，前記最終レースの９つ前のレースの１着ナンバーが奇数であるか偶数であるかに基づいて決定した番号又は記号，前記最終レースの８つ前のレースの１着ナンバーが奇数であるか偶数であるかに基づいて決定した番号又は記号，前記最終レースの７つ前のレースの１着ナンバーが奇数であるか偶数であるかに基づいて決定した番号又は記号，前記最終レースの６つ前のレースの１着ナンバーが奇数であるか偶数であるかに基づいて決定した番号又は記号，前記最終レースの５つ前のレースの１着ナンバーが奇数であるか偶数であるかに基づいて決定した番号又は記号，前記最終レースの４つ前のレースの１着ナンバーが奇数であるか偶数であるかに基づいて決定した番号又は記号，前記最終レースの３つ前のレースの１着ナンバーが奇数であるか偶数であるかに基づいて決定した番号又は記号，前記最終レースの２つ前のレースの１着ナンバーが奇数であるか偶数であるかに基づいて決定した番号又は記号，前記最終レースの１つ前のレースの１着ナンバーが奇数であるか偶数であるかに基づいて決定した番号又は記号，前記最終レースの１着ナンバーが奇数であるか偶数であるかに基づいて決定した番号又は記号を的中番号又は的中記号として、前記投票券割当部（Ｓ１２０）で割り当てられた投票券の中から的中投票券を決定する情報処理を行う的中券決定部（Ｓ２２０）と、を有する的中投票券決定システムである。
【００１２】
第５の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の直近に行われるレースが最終レースの５つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部（Ｓ１４０）と、前記日程設定部（Ｓ１４０）で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当部（Ｓ１２０）で割り当てられた投票券の中から的中投票券を決定する情報処理を行う的中券決定部（Ｓ２２０）と、を有する的中投票券決定システムである。
【００１３】
第６の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の直近に行われるレースが最終レースの３つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部（Ｓ１４０）と、前記日程設定部（Ｓ１４０）で対象レース日とされた日に行われる最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当部（Ｓ１２０）で割り当てられた投票券の中から的中投票券を決定する情報処理を行う的中券決定部（Ｓ２２０）と、を有する的中投票券決定システムである。
【００１４】
第７の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号又は記号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の直近に行われるレースが最終レースの１１以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部（Ｓ１４０）と、前記日程設定部（Ｓ１４０）で対象レース日とされた日において直近に行われるレースを開始レースとして、その開始レース以降、最初に成立したレースの１着ナンバーが奇数であるか偶数であるかに基づいて決定した番号又は記号，２番目に成立したレースの１着ナンバーが奇数であるか偶数であるかに基づいて決定した番号又は記号，３番目に成立したレースの１着ナンバーが奇数であるか偶数であるかに基づいて決定した番号又は記号，４番目に成立したレースの１着ナンバーが奇数であるか偶数であるかに基づいて決定した番号又は記号，５番目に成立したレースの１着ナンバーが奇数であるか偶数であるかに基づいて決定した番号又は記号，６番目に成立したレースの１着ナンバーが奇数であるか偶数であるかに基づいて決定した番号又は記号，７番目に成立したレースの１着ナンバーが奇数であるか偶数であるかに基づいて決定した番号又は記号，８番目に成立したレースの１着ナンバーが奇数であるか偶数であるかに基づいて決定した番号又は記号，９番目に成立したレースの１着ナンバーが奇数であるか偶数であるかに基づいて決定した番号又は記号，１０番目に成立したレースの１着ナンバーが奇数であるか偶数であるかに基づいて決定した番号又は記号，１１番目に成立したレースの１着ナンバーが奇数であるか偶数であるかに基づいて決定した番号又は記号，１２番目に成立したレースの１着ナンバーが奇数であるか偶数であるかに基づいて決定した番号又は記号を的中番号又は的中記号として、前記投票券割当部（Ｓ１２０）で割り当てられた投票券の中から的中投票券を決定する情報処理を行う的中券決定部（Ｓ２２０）と、を有する的中投票券決定システムである。
【００１５】
第８の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムであって、決められた発行数によって構成されたひとつのユニットの中では重複しないように番号又は記号が付されている投票券を、購入予約した会員のＩＤに対して、アトランダムに割り当てる情報処理を行う投票券割当部（Ｓ１２０）と、前記コンピューターシステムに含まれるレース情報データベースに記憶されている公営競技が開催される日のうち、前記投票券割当部（Ｓ１２０）における前記ひとつのユニットに含まれるすべての投票券の割り当て処理が完了した後の直近に行われるレースが最終レースの１１以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定部（Ｓ１４０）と、前記日程設定部（Ｓ１４０）で対象レース日とされた日に行われる最終レースの１１前のレースの１着ナンバーが奇数であるか偶数であるかに基づいて決定した番号又は記号，前記最終レースの１０前のレースの１着ナンバーが奇数であるか偶数であるかに基づいて決定した番号又は記号，前記最終レースの９つ前のレースの１着ナンバーが奇数であるか偶数であるかに基づいて決定した番号又は記号，前記最終レースの８つ前のレースの１着ナンバーが奇数であるか偶数であるかに基づいて決定した番号又は記号，前記最終レースの７つ前のレースの１着ナンバーが奇数であるか偶数であるかに基づいて決定した番号又は記号，前記最終レースの６つ前のレースの１着ナンバーが奇数であるか偶数であるかに基づいて決定した番号又は記号，前記最終レースの５つ前のレースの１着ナンバーが奇数であるか偶数であるかに基づいて決定した番号又は記号，前記最終レースの４つ前のレースの１着ナンバーが奇数であるか偶数であるかに基づいて決定した番号又は記号，前記最終レースの３つ前のレースの１着ナンバーが奇数であるか偶数であるかに基づいて決定した番号又は記号，前記最終レースの２つ前のレースの１着ナンバーが奇数であるか偶数であるかに基づいて決定した番号又は記号，前記最終レースの１つ前のレースの１着ナンバーが奇数であるか偶数であるかに基づいて決定した番号又は記号，前記最終レースの１着ナンバーが奇数であるか偶数であるかに基づいて決定した番号又は記号を的中番号又は的中記号として、前記投票券割当部（Ｓ１２０）で割り当てられた投票券の中から前記的中投票券を決定する情報処理を行う的中券決定部（Ｓ２２０）と、を有する的中投票券決定システムである。
【００１６】
第９の発明は、第１から第８までのいずれかの発明において、前記日程設定部（Ｓ１４０）で対象レース日とされた日を、前記投票券の購入予約した会員の端末に対して通知する日程通知部（Ｓ１５０）を有する、的中投票券決定システムである。
【００１７】
第１０の発明は、第１から第９までのいずれかの発明において、前記ユニットは、投票券の単価ごとに設定されている、的中投票券決定システムである。
【００１８】
第１１の発明は、第１から第１０までのいずれかの発明において、投票券を購入予約した会員のＩＤに対してアトランダムに割り当てるときに、投票券の仮発行処理を行う仮発行部（Ｓ１２０）と、レース結果当日に決済して、投票券の正式発行処理を行う正式発行部（Ｓ２１０）と、を有する的中投票券決定システムである。
【００１９】
第１２の発明は、第１から第１１までのいずれかの発明において、前記或るユニットが完売した後、別のユニットの販売を開始する、的中投票券決定システムである。
【００２０】
第１３の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、前記コンピューターシステムが、決められた発行数によって構成されたひとつのユニットの中では重複しないように番号が付されている投票券を、購入予約した会員のＩＤに対して、アトランダムに割り当てる情報処理を行う投票券割当工程（Ｓ１２０）と、前記コンピューターシステムに含まれるレース情報データベースに記憶されている公営競技が開催される日のうち、前記投票券割当工程（Ｓ１２０）で前記ひとつのユニットに含まれるすべての投票券の割り当て処理が完了した後の最初に公営競技が開催される日にちを、そのユニットの的中投票券を決定する対象レース日とする情報処理を行う日程設定工程（Ｓ１４０）と、前記日程設定工程（Ｓ１４０）で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当工程（Ｓ１２０）で割り当てられた投票券の中から的中投票券を決定する情報処理を行う的中券決定工程（Ｓ２２０）と、を有する的中投票券決定システムの情報処理方法である。
【００２１】
第１４の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、前記コンピューターシステムが、決められた発行数によって構成されたひとつのユニットの中では重複しないように番号が付されている投票券を、購入予約した会員のＩＤに対して、アトランダムに割り当てる情報処理を行う投票券割当工程（Ｓ１２０）と、前記コンピューターシステムに含まれるレース情報データベースに記憶されている公営競技が開催される日のうち、前記投票券割当工程（Ｓ１２０）で前記ひとつのユニットに含まれるすべての投票券の割り当て処理が完了した後の最初に公営競技が開催される日にちを、そのユニットの的中投票券を決定する対象レース日とする情報処理を行う日程設定工程（Ｓ１４０）と、前記日程設定工程（Ｓ１４０）で対象レース日とされた日に開催される最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当工程（Ｓ１２０）で割り当てられた投票券の中から的中投票券を決定する情報処理を行う的中券決定工程（Ｓ２２０）と、を有する的中投票券決定システムの情報処理方法である。
【００２２】
第１５の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、前記コンピューターシステムが、決められた発行数によって構成されたひとつのユニットの中では重複しないように番号が付されている投票券を、購入予約した会員のＩＤに対して、アトランダムに割り当てる情報処理を行う投票券割当工程（Ｓ１２０）と、前記コンピューターシステムに含まれるレース情報データベースに記憶されている公営競技が開催される日のうち、前記投票券割当工程（Ｓ１２０）で前記ひとつのユニットに含まれるすべての投票券の割り当て処理が完了した後の直近に行われるレースが最終レースの５つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定工程（Ｓ１４０）と、前記日程設定工程（Ｓ１４０）で対象レース日とされた日において直近に行われるレースを開始レースとして、その開始レース以降、最初に成立したレースの１着ナンバー，２番目に成立したレースの１着ナンバー，３番目に成立したレースの１着ナンバー，４番目に成立したレースの１着ナンバーを的中番号として、前記投票券割当工程（Ｓ１２０）で割り当てられた投票券の中から的中投票券を決定する情報処理を行う的中券決定工程（Ｓ２２０）と、を有する的中投票券決定システムの情報処理方法である。
【００２３】
第１６の発明は、ひとつのコンピューター又は複数のコンピューターで構成され、会員の端末がネットワークによって接続されて通信プロトコルを介してデータの送受信可能になっており、公営競技のレース結果に基づいて的中投票券を決定するコンピューターシステムの情報処理方法であって、前記コンピューターシステムが、決められた発行数によって構成されたひとつのユニットの中では重複しないように番号が付されている投票券を、購入予約した会員のＩＤに対して、アトランダムに割り当てる情報処理を行う投票券割当工程（Ｓ１２０）と、前記コンピューターシステムに含まれるレース情報データベースに記憶されている公営競技が開催される日のうち、前記投票券割当工程（Ｓ１２０）における前記ひとつのユニットに含まれるすべての投票券の割り当て処理が完了した後の直近に行われるレースが最終レースの３つ以上前のレースであるか否かを判定して、判定結果が肯であれば前記直近に行われるレースの開催日を、そのユニットの的中投票券を決定する対象レース日とする情報処理を行い、判定結果が否であれば前記直近に行われるレースの開催日の翌開催日を対象レース日とする情報処理を行う日程設定工程（Ｓ１４０）と、前記日程設定工程（Ｓ１４０）で対象レース日とされた日に行われる最終レースの３つ前のレースの１着ナンバー，前記最終レースの２つ前のレースの１着ナンバー，前記最終レースの１つ前のレースの１着ナンバー，前記最終レースの１着ナンバーを的中番号として、前記投票券割当工程（Ｓ１２０）で割り当てられた投票券の中から的中投票券を決定する情報処理を行う的中券決定工程（Ｓ２２０）と、を有する的中投票券決定システムの情報処理方法である。
【発明の効果】
【００２４】
この態様によれば、或るユニットが完売するまでは、投票券（公営競技投票番号）を販売し続け、そのユニットが完売したら、レース開催日を設定して、的中番号を決定するようにしたので、十分な投票数が集まる。そして投票券（公営競技投票番号）は、決められた発行数によって構成されたひとつのユニットの中では重複しないように付番されているので、そのユニットで必ずひとつだけ的中する。つまり的中券が存在しない事態が生じない。そして的中口数がひとつだけなので、高額の払い戻しを期待することもできる。
【図面の簡単な説明】
【００２５】
【図１】図１は、本発明に係る、公営競技のレース結果を利用して的中投票券を決定する的中投票券決定システムの概要機能について説明する図である。
【図２】図２は、的中投票券決定システムの概要構成の一例を示すブロック図である。
【図３】図３は、会員端末の概要構成の一例を示すブロック図である。
【図４】図４は、ＣＰＵ１４ａの動作を中心として、的中投票券決定システム１０の具体的なロジックについて示すフローチャートである。
【図５】図５は、ステップＳ１４０の具体的な内容について説明するフローチャートである。
【図６】図６は、ＣＰＵ１４ａの動作を中心として、的中投票券決定システム１０の的中番号決定処理の具体的なロジックについて示すフローチャートである。
【図７】図７は、ステップＳ２２０の具体的な内容について示すフローチャートである。
【図８】図８は、的中投票券決定システム１０で表示されるＭｙページ画面の一例を示す図である。
【図９】図９は、的中投票券決定システム１０で表示される入金指示画面の一例を示す図である。
【図１０】図１０は、的中投票券決定システム１０で表示される入金指示確認画面の一例を示す図である。
【図１１】図１１は、的中投票券決定システム１０で表示される口座残高画面の一例を示す図である。
【図１２】図１２は、的中投票券決定システム１０で表示される購入予約画面の一例を示す図である。
【図１３】図１３は、的中投票券決定システム１０で表示される購入予約確認画面の一例を示す図である。
【図１４】図１４は、的中投票券決定システム１０で表示される購入予約完了画面の一例を示す図である。
【図１５】図１５は、的中投票券決定システム１０で表示される結果画面の一例を示す図である。
【図１６】図１６は、的中投票券決定システム１０で表示される購入履歴画面の一例を示す図である。
【図１７】図１７は、的中投票券決定システム１０で表示される会員情報変更画面の一例を示す図である。
【図１８】図１８は、的中投票券決定システム１０で表示される会員情報変更確認画面の一例を示す図である。
【図１９】図１９は、的中投票券決定システム１０で表示される会員情報変更完了画面の一例を示す図である。
【図２０】図２０は、的中投票券決定システム１０で表示される現在の販売口数画面の一例を示す図である。
【図２１】図２１は、的中投票券決定システム１０で表示されるログアウト画面の一例を示す図である。
【図２２】図２２は、第２実施形態におけるステップＳ１４０の具体的な内容について説明するフローチャートである。
【図２３】図２３は、第２実施形態におけるステップＳ２２０の具体的な内容について説明するフローチャートである。
【図２４】図２４は、第３実施形態におけるステップＳ１４０の具体的な内容について説明するフローチャートである。
【図２５】図２５は、ステップＳ２２０の第２実施形態について示すフローチャートである。
【発明を実施するための形態】
【００２６】
以下、添付図面を参照しながら本発明の実施形態について説明する。
【００２７】
（第１実施形態）
図１は、本発明に係る、公営競技のレース結果を利用して的中投票券を決定する的中投票券決定システムの概要機能について説明する図である。
【００２８】
はじめに、図１を参照して的中投票券決定システムの概要機能について説明する。なお以下では、発明の理解を容易にするために、公営競技として特に小型自動車競走(オートレース)に特定して説明するが、競馬・競艇・自転車競走(競輪)のような他の公営競技のレース結果を利用してもよい。
【００２９】
図１に示すように、的中投票券決定システム１０には、会員の端末３０がネットワーク３によって接続され、通信プロトコル（たとえば、ＴＣＰ／ＩＰ）を介してデータの送受信可能になっている。なお、ネットワーク３は、たとえば、インターネット、専用通信回線（たとえば、ＣＡＴＶ（Community Antenna Television）回線）、移動体通信網（基地局等を含む）及びゲートウェイ等によって構築されている。
【００３０】
会員端末３０は、会員が投票券を購入するために操作する機器である。会員端末３０としては、たとえばパーソナルコンピューターやタブレット端末，スマートフォンを含む携帯型無線電話機などを例示することができる。
【００３１】
的中投票券決定システム１０は、会員が端末３０を操作して入力した情報に基づいて、投票券の購入予約の受付処理を行い、投票券を仮発行する。また的中投票券決定システム１０は、公営競技投票券（オートレース投票券）を、購入予約した会員（会員ＩＤ）に対して、アトランダムに割り当てる。なお公営競技投票券（オートレース投票券）は、決められた発行数によって構成されたひとつのユニットの中では重複しないように番号又は記号が付されている。
【００３２】
さらに的中投票券決定システム１０は、或るユニットが完売した後、そのユニットの的中投票券を決定するレース開催日を設定する。また的中投票券決定システム１０は、設定したレース開催日の当日に決済処理を行い、投票券を正式発行する。そして的中投票券決定システム１０は、設定されたレース開催日に開催されるオートレースのレース結果に基づいて的中投票券を決定する。さらに的中投票券決定システム１０は、的中した投票券に対する払い戻し処理を実行する。詳細な内容は、後述する。
【００３３】
図２は、的中投票券決定システムの概要構成の一例を示すブロック図である。なおブロック図に示される各ブロックは、各機能を仮想ユニットとして示すものである。各ブロックは物理的な存在を意味しない。
【００３４】
次に図２を参照して、的中投票券決定システム１０の概要構成について説明する。
【００３５】
図２に示すように、コンピューターとして機能する的中投票券決定システム１０は、通信部１１と、記憶部１２と、入出力インターフェース部１３と、システム制御部１４と、を含む。そして、システム制御部１４と入出力インターフェース部１３とは、システムバス１５を介して接続される。
【００３６】
通信部１１は、ネットワーク３に接続して会員端末３０等との通信状態を制御し、さらに、ローカルエリアネットワークに接続して、ローカルエリアネットワーク上の他のコンピューターとデータを送受信する。
【００３７】
記憶部１２は、たとえば、ハードディスクドライブ等によって構成される。記憶部１２は、オペレーティングシステム及びサーバープログラム等の各種プログラムや、会員に提供する情報を提示するためのウェブページの画面データ等を記憶する。なお、各種プログラムは、たとえば、他のサーバー装置等からネットワーク３を介して取得されるようにしてもよいし、記録媒体に記録されてドライブ装置（図示せず）を介して読み込まれるようにしてもよい。
【００３８】
また、記憶部１２には、レース情報データベース１２ａ（以下適宜「レース情報ＤＢ１２ａ」と称する）と、投票券データベース１２ｂ（以下適宜「投票券ＤＢ１２ｂ」と称する）と、口座データベース１２ｃ（以下適宜「口座ＤＢ１２ｃ」と称する）と、会員データベース１２ｄ（以下適宜「会員ＤＢ１２ｄ」と称する）等が構築されている。
【００３９】
レース情報ＤＢ１２ａは、レースの開催日・開催場等のレース情報を記憶する。
【００４０】
投票券ＤＢ１２ｂは、オートレース投票券（公営競技投票券）を管理するとともに、購入予約者に対してアトランダムに割り当てた情報を管理する。なおオートレース投票券（公営競技投票券）は、決められた発行数によって構成されたひとつのユニットの中では重複しないように番号又は記号が付されている。
【００４１】
口座ＤＢ１２ｃは、会員から受け付けた投票券購入のための資金の入金情報を記憶する。口座ＤＢ１２ｃには、会員が投票券を購入するための資金が入金され、その金額が会員ＩＤに関連付けられ記憶されている。たとえば、会員は、レースが開催される日に購入する投票券の予算を決めて、投票券を買う前にインターネット上の銀行等から、予算分の金額を口座ＤＢ１２ｃに振り込む。また、投票券が的中した場合には、口座ＤＢ１２ｃに払戻金が入金される。また、会員が投票券を購入すると、口座ＤＢ１２ｃにおける会員の残高から、購入金額が差し引かれる。さらに、口座ＤＢ１２ｃには、会員による銀行等からの入金と、払戻金による入金との累計である累計入金額が記憶される。
【００４２】
会員ＤＢ１２ｄは、会員に関する情報を記憶する。会員ＤＢ１２ｄには、会員の会員情報（ニックネーム／会員氏名（漢字及びカタカナ）／郵便番号／住所（漢字及びフリガナ）／電話番号／通知先電子メールアドレス／メール通知の要不要／サブ電子メールアドレス／当たるんです！ログインパスワード／当たるんです！暗証番号など），銀行口座情報（会員氏名（カタカナ）／誕生日／性別／銀行名／支店名／預金種別／口座番号など）等が、会員ＩＤに紐付けられて登録されている。
【００４３】
また、記憶部１２は、情報を会員端末３０に表示させるために、ＨＴＭＬ（HyperText Markup Language）、ＸＭＬ（Extensible Markup Language）等のマークアップ言語等により記述されたウェブページのファイル等も記憶している。
【００４４】
入出力インターフェース部１３は、通信部１１及び記憶部１２とシステム制御部１４との間のインターフェース処理を行う。
【００４５】
システム制御部１４は、ＣＰＵ（Central Processing Unit）１４ａ、ＲＯＭ（Read Only Memory）１４ｂ、ＲＡＭ（Random Access Memory）１４ｃ等により構成されている。システム制御部１４は、ＣＰＵ１４ａがＲＯＭ１４ｂや記憶部１２に記憶された各種プログラムを読み出して実行することによって、的中番号を決定するための処理等を行う。
【００４６】
図３は、会員端末の概要構成の一例を示すブロック図である。
【００４７】
次に会員端末３０の概要構成についても、図３を参照して説明しておく。
【００４８】
会員端末３０は、会員が投票券を購入するために操作する機器である。会員端末３０としては、たとえばパーソナルコンピューターやタブレット端末，スマートフォンを含む携帯型無線電話機などを例示することができる。会員端末３０は、通信部３１と、記憶部３２と、表示部３３と、操作部３４と、入出力インターフェース部３５と、システム制御部３６とを含む。そして、システム制御部３６と入出力インターフェース部３５とは、システムバス３７を介して接続されている。
【００４９】
通信部３１は、ネットワーク３を通して、的中投票券決定システム１０等と通信を制御する。なお、会員端末３０が携帯端末装置の場合には、ネットワーク３の移動体通信網に接続するために、通信部３１は、無線通信機能を有する。
【００５０】
記憶部３２は、たとえば、ＥＥＰＲＯＭ(Electrically Erasable Programmable Read-Only Memory)などの不揮発性メモリーやハードディスクドライブ等からなり、オペレーティングシステム、ウェブブラウザーのプログラム等を記憶する。
【００５１】
表示部３３は、たとえば、液晶表示素子又はＥＬ(Electro Luminescence)素子等によって構成されている。表示部３３には、投票券を購入するためのウェブページがウェブブラウザーによって表示される。
【００５２】
操作部３４は、たとえば、キーボード及びマウスなどによって構成されている。会員は、操作部３４を操作して情報を入力する。なお、表示部３３がタッチパネルのようなタッチスイッチ方式の表示パネルの場合には、操作部３４は、会員が接触又は近接した表示部３３の位置情報を取得する。
【００５３】
入出力インターフェース部３５は、通信部３１及び記憶部３２とシステム制御部３６とのインターフェースである。
【００５４】
システム制御部３６は、たとえば、ＣＰＵ３６ａと、ＲＯＭ３６ｂと、ＲＡＭ３６ｃとを有する。システム制御部３６は、ＣＰＵ３６ａが、ＲＯＭ３６ｂや、ＲＡＭ３６ｃや、記憶部３２に記憶された各種プログラムを読み出して実行する。たとえば、システム制御部３６は、ウェブブラウザーのプログラムを実行しウェブブラウザーとして機能する。
【００５５】
次に、ＣＰＵ１４ａの動作を中心として、的中投票券決定システム１０の具体的なロジックについて図４に示すフローチャートに沿って説明する。
【００５６】
ステップＳ１１０において、ＣＰＵ１４ａは、会員による投票券の購入予約指示を受けるまでは待機し、購入予約指示を受けたら、ステップＳ１２０に処理を移行する。
【００５７】
ステップＳ１２０において、ＣＰＵ１４ａは、投票券の購入予約を指示した会員のＩＤに対してオートレース投票券（オートレース投票番号）をアトランダムに割り当てて、両者を紐付けて投票券ＤＢ１２ｂに記憶することで投票券（オートレース投票番号）を仮発行する。なお仮発行とするのは、レース当日まで投票券の決済処理を実行しないためである。
【００５８】
オートレース投票番号は、決められた発行数によって構成されたひとつのユニットの中では重複しないように付番されている。具体的には、的中番号を決定するオートレースが、８台出走する場合であって（ゼッケンナンバーが１〜８）、的中番号を決定するために、１着ナンバーを４レース連続で当てる四重勝単勝式を利用するのであれば、４０９６（＝８×８×８×８）個の投票番号、すなわち、「１１１１」「１１１２」・・・・・「１１１８」「１１２１」・・・・・「８８８８」という投票番号が、付番される。このように付番されているので、ひとつのユニットの中では、投票番号が重複しない。
【００５９】
ステップＳ１３０において、ＣＰＵ１４ａは、或るひとつのユニットに含まれるすべてのオートレース投票券（オートレース投票番号）が会員ＩＤと紐付けられたか否かを判定する。ＣＰＵ１４ａは、判定結果が否であればステップＳ１１０に処理を戻し、判定結果が肯になったらステップＳ１４０に処理を移行する。
【００６０】
ステップＳ１４０において、ＣＰＵ１４ａは、そのユニットに含まれるオートレース投票券（オートレース投票番号）の的中番号を決定する対象レース日を設定する。具体的な内容については後述する。
【００６１】
ステップＳ１５０において、ＣＰＵ１４ａは、そのユニットに含まれるオートレース投票券（オートレース投票番号）を購入した会員に対して、決定した対象レース日を通知する。具体的には、登録されているメールアドレスに電子メールを送信すればよい。また、会員のログイン画面に表示してもよい。
【００６２】
なお、的中投票券決定システム１０は、或るひとつのユニットを完売した後、別のユニットの販売を開始する。このようにするので、或るひとつのユニットの的中番号決定日が無用に遅延することがない。
【００６３】
次に、ステップＳ１４０の具体的な内容について図５に示すフローチャートに沿って説明する。
【００６４】
ステップＳ１４１において、ＣＰＵ１４ａは、直近に行われるレース（たとえば本日まもなく行われるレース）が、最終レースの所定数以上前のレースであるか否かを判定する。ＣＰＵ１４ａは、判定結果が肯であればステップＳ１４２に処理を移行し、判定結果が否であればステップＳ１４３に処理を移行する。
【００６５】
ステップＳ１４２において、ＣＰＵ１４ａは、直近に行われるレースの開催日（たとえば本日）を対象レース日とする。
【００６６】
ステップＳ１４３において、ＣＰＵ１４ａは、直近に行われるレースの開催日の翌開催日を対象レース日とする。
【００６７】
ここでステップＳ１４０の処理について補足する。
【００６８】
四重勝単勝式を利用するのであれば、４レースの開催が必要である。そこで上記「所定数」を「３」として、投票券の完売後、本日これから行われるレースが、最終レースの３つ以上前のレースであれば、本日を対象レース日とすればよい。このようにすれば、本日、最終レースまでに４レース以上開催されるので、的中券を決定できる。ただし、「所定数」を「３」とした場合は、最終レースの３つ前のレースの直前に投票券が完売した場合に、最終レースの３つ前のレースから、的中券を決定する処理が開始されるが、何らかの理由によって、成立しないレースがひとつでもあった場合に、的中券を決定することができなくなる。この場合は投票券購入者への払い戻しが必要になる。そこで、このような事態を防止するために、「所定数」を「４」又は「５」又はそれ以上としておき、余裕を確保するようにしておくことも好ましい。ただし「所定数」を大きくすればするほど、当日開催ができにくくなる。「所定数」はこのようなことが総合的に考慮されて設定される。
【００６９】
次に、ＣＰＵ１４ａの動作を中心として、的中投票券決定システム１０の的中番号決定処理の具体的なロジックについて図６に示すフローチャートに沿って説明する。なおＣＰＵ１４ａは、この処理をステップＳ１４０で決定した対象レース日の当日に実行する。
【００７０】
ステップＳ２１０において、ＣＰＵ１４ａは、対象レース日の当日に決済処理を行い、投票券を正式発行する。
【００７１】
ステップＳ２２０において、ＣＰＵ１４ａは、的中番号を決定する。具体的な内容は、後述する。
【００７２】
ステップＳ２３０において、ＣＰＵ１４ａは、的中番号に紐づけられていく会員ＩＤに対して、払い戻しを実行する。
【００７３】
次に、ステップＳ２２０の具体的な内容について図７に示すフローチャートに沿って説明する。
【００７４】
ステップＳ２２１において、ＣＰＵ１４ａは、これから行われる直近のレースを「開始レース」とする。
【００７５】
ステップＳ２２２において、ＣＰＵ１４ａは、開始レース以降、最初に成立したレースの１着のナンバーＡを取得する。なお、開始レースが成立すれば、そのレースで１着ナンバーＡを取得する。
【００７６】
ステップＳ２２３において、ＣＰＵ１４ａは、開始レース以降、２番目に成立したレースの１着のナンバーＢを取得する。
【００７７】
ステップＳ２２４において、ＣＰＵ１４ａは、開始レース以降、３番目に成立したレースの１着のナンバーＣを取得する。
【００７８】
ステップＳ２２５において、ＣＰＵ１４ａは、開始レース以降、４番目に成立したレースの１着のナンバーＤを取得する。
【００７９】
ステップＳ２２６において、ＣＰＵ１４ａは、的中番号をＡＢＣＤとする。
【００８０】
次に、会員の端末３０に表示される画面を参照しながら、的中投票券決定システム１０の動作について説明する。なお図８では、パーソナルコンピューターを会員の端末３０としている。
【００８１】
図８の「当たるんです！」は、的中投票券決定システム１０で扱われる投票券（投票番号）の愛称である。
【００８２】
会員（端末操作者）がＭｙページにログインすると、図８に示す画面になる。この画面には、「ログアウト」ボタン３０１，「メール」ボタン３０２，「購入予約」ボタン３０３，「結果を見る」ボタン３０４，「購入履歴」ボタン３０５，「入金」ボタン３０６，「口座残高」ボタン３０７，「会員情報の変更」ボタン３０８，「当たるんです！ニュース」ボタン３０９，「現在の販売口数」ボタン３１０があり、何れかのボタンをクリックすると、詳細ページに変移する。具体的な内容は後述される。
【００８３】
また、このＭｙページのログイン画面には、会員情報として、会員番号，会員氏名（漢字及びカタカナ），口座残高，購入可能額が表示されるとともに、現在発売中の「当たるんです！」の残り口数も表示されている。
【００８４】
会員が、「入金」ボタン３０６をクリックすると、図９に示す入金指示画面に変移する。この入金指示画面には、会員情報（会員番号，会員氏名（漢字及びカタカナ））が表示されるとともに、入金を指示するための表示がなされる。
【００８５】
会員が「入金指示金額」及び「入金結果メール通知の必要／不要」を入力し「確認」ボタン３０６１をクリックすると、図１０の入金指示確認画面に変移する。この入金指示確認画面には、今回の入金指示金額，口座振替の合計金額，入金処理予定日，メール通知の要不要，利用銀行が表示される。会員がこれらの内容を確認して暗証番号を入力し、「実行」ボタン３０６２をクリックすると、入金処理が実行される。
【００８６】
会員がＭｙページの画面（図８）で「口座残高」ボタン３０７をクリックすると、図１１に示す口座残高画面に変移する。この口座残高画面には、会員情報（会員番号，会員氏名（漢字及びカタカナ））が表示されるとともに、入金金額の合計と購入可能額とが表示される。会員がこれらの情報を確認し「メインメニュー」ボタン３０７１をクリックすると、Ｍｙページのメインメニューへ変移する。
【００８７】
会員がＭｙページの画面（図８）で「購入予約」ボタン３０３をクリックすると、図１２に示す購入予約画面に変移する。この購入予約画面には、「３００円券購入予約」ボタン３０３１，「３，０００円券購入予約」ボタン３０３２，「３０，０００円券購入予約」ボタン３０３３が表示されている。なお、決められた発行数によって構成されたひとつのユニットは、券種別ごとに別々に設けられているが、ひとつのユニットを構成する発行数は同一である。そして券種別ごとに的中時の払戻額が異なる。３００円券であれば的中時の払戻額がたとえば１，０００，０００円になる。３，０００円券であれば的中時の払戻額がたとえば１０，０００，０００円になる。３０，０００円券であれば的中時の払戻額がたとえば１００，０００，０００円になる。このように、ひとつのユニットを構成する発行数は同一であるが、券種別ごとに的中時の払戻額が異なるように設定されている。
【００８８】
図１２の画面で、会員が何れかの券種別ボタンをクリックすると、その内容が、券種別表示部３０３４に反映される。会員がこの内容を確認し、さらに会員が口数を入力すると、合計金額が表示される。会員がこれら内容を確認して「予約確認」ボタン３０３５をクリックすると、図１３に示す購入予約確認画面に変移する。この購入予約確認画面には、券種別，口数，合計金額が表示される。会員がこれらの内容を確認して暗証番号を入力し、「購入予約する」ボタン３０３６をクリックすると、図１４に示す購入予約完了画面に変移する。この購入予約完了画面には、購入予約した投票券の内容（券種別，口数，金額），受付番号，受付日時が表示されるとともに、予約者に対するお知らせが表示される。会員がこれらの情報を確認し「メインメニュー」ボタン３０３７をクリックすると、Ｍｙページのメインメニューへ変移する。
【００８９】
以上のようにして会員がオートレース投票券の購入予約するたびに、ＣＰＵ１４ａは、図４のステップＳ１１０→Ｓ１２０を処理して、会員ＩＤに対してオートレース投票番号をアトランダムに割り当てて、両者を紐付けて投票券ＤＢ１２ｂに記憶することで投票券（オートレース投票番号）の仮発行処理を実行する。
【００９０】
そして、或るひとつのユニットに含まれるすべてのオートレース投票番号が会員ＩＤと紐付けられたら、ＣＰＵ１４ａは、ステップＳ１３０→Ｓ１４０を処理して、そのユニットに含まれるオートレース投票番号の的中番号を決定する対象レース日を設定し（ステップＳ１４０）、そのユニットに含まれるオートレース投票番号を購入した会員に対して、設定した対象レース日を電子メールなどで通知する（ステップＳ１５０）。
【００９１】
レース終了後、会員がＭｙページの画面（図８）で「結果を見る」ボタン３０４をクリックすると、図１５に示すように結果が表示される。この画面には、対象レースの１着ナンバーが表示されている。本実施形態では、第５レースの直前に投票券が完売し、この第５レースを「開始レース」とし、成立しなかったレースが無い場合を想定している。図１５では、第５レース（開始レース以降、最初に成立したレース）の１着ナンバーが１，第６レース（開始レース以降、２番目に成立したレース）の１着ナンバーが２，第７レース（開始レース以降、３番目に成立したレース）の１着ナンバーが３，第８レース（開始レース以降、４番目に成立したレース）の１着ナンバーが４である。そしてこの場合の的中番号は「１２３４」である。図１５では、見事的中しており、結果として１，０００，０００円が払戻金額として表示されている。会員がこれらの情報を確認し「メインメニュー」ボタン３０４１をクリックすると、Ｍｙページのメインメニューへ変移する。
【００９２】
会員がＭｙページの画面（図８）で「購入履歴」ボタン３０５をクリックすると、図１６に示す購入履歴画面に変移する。この購入履歴画面には、会員情報（会員番号，会員氏名（漢字及びカタカナ））が表示されるとともに、過去の購入履歴が表示される。図１６では、「１２３４」の投票券（投票番号）が的中したので、払戻金額欄に１，０００，０００円／ステータス欄に「的中」が表示されている。会員がこれらの情報を確認し「メインメニュー」ボタン３０５１をクリックすると、Ｍｙページのメインメニューへ変移する。
【００９３】
会員がＭｙページの画面（図８）で「会員情報の変更」ボタン３０８をクリックすると、図１７に示す会員情報変更画面に変移する。この会員情報変更画面には、会員情報（ニックネーム／会員氏名（漢字及びカタカナ）／郵便番号／住所／電話番号／通知先電子メールアドレス／メール通知の要不要／サブ電子メールアドレス／当たるんです！ログインパスワード／当たるんです！暗証番号）が表示されるとともに、銀行口座情報（会員氏名（カタカナ）／誕生日／性別／銀行名／支店名／預金種別／口座番号）が表示されている。会員が情報を変更して「次へ」ボタン３０８１をクリックすると、図１８に示す会員情報変更確認画面に変移する。会員がこれらの情報を確認し「変更」ボタン３０８２をクリックすると、会員情報が変更され、図１９に示す会員情報変更完了画面に変移する。会員がこの会員情報変更完了画面を確認し「メインメニュー」ボタン３０８３をクリックすると、Ｍｙページのメインメニューへ変移する。
【００９４】
会員がＭｙページの画面（図８）で「現在の販売口数」ボタン３１０をクリックすると、図２０に示す現在の販売口数画面に変移する。この販売口数画面には、現在の日時，現時点の販売済口数／残口数が表示される。販売済口数及び残口数を足し合わせたものがひとつのユニットにおいて予め決められている発行数になる。上記した例であれば、４０９６である。なお図示は省略するが、この販売口数画面にも「メインメニュー」ボタンがあり、この「メインメニュー」ボタンを会員がクリックすると、Ｍｙページのメインメニューへ変移する。
【００９５】
会員がＭｙページの画面（図８）で「ログアウト」ボタン３０１をクリックすると、図２１に示すログアウト画面に変移する。このログアウト画面には、「ログアウトしますか？」のメッセージが表示される。会員が「はい」ボタン３０１１をクリックすればログアウトする。「いいえ」ボタン３０１２をクリックした場合にはログアウトしない。
【００９６】
以上説明したように、本実施形態によれば、決められた発行数によって構成されたひとつのユニットの中では重複しないように付番されている投票券を、購入予約者に対して、アトランダムに割り当てることを、そのユニットが完売するまで継続し（ステップＳ１２０）、或るユニットが完売した後、そのユニットの的中番号を決定する対象レース日を設定するようにした（ステップＳ１４０）。的中投票券を決定する日にち（レース）が固定されている従来方式では、十分な投票数が集まらない可能性があったが、本実施形態のように、或るユニットが完売するまでは、投票券（公営競技投票番号）を販売し続け、そのユニットが完売したら、対象レース日を設定して、的中番号を決定するようにしたので、十分な投票数が集まる。
【００９７】
また、投票券は、決められた発行数によって構成されたひとつのユニットの中では重複しないように付番されているので、そのユニットで必ずひとつだけ的中する。つまり的中券が存在しない事態が生じない。そして的中口数がひとつだけなので、高額の払い戻しを期待できる。
【００９８】
さらに、投票券が、購入予約者に、アトランダムに割り当てられるので、購入予約者が着順を予想する必要がないため、未経験者であっても簡単に購入することができる。
【００９９】
（第２実施形態）
第１実施形態においては、投票券が完売し次第、なるべく早めに的中券を決定するようにした。しかしながら、オートレースでは、最終レース（メインレース）が一番盛り上がる。そこで、最終レースで的中券が決定されると、レース投票者の興趣も向上する。そこでこの第２実施形態では、最終レースで的中券を決定するようにした。具体的な内容は以下に説明される。
【０１００】
図２２は、第２実施形態におけるステップＳ１４０の具体的な内容について説明するフローチャートである。
【０１０１】
ステップＳ１４１において、ＣＰＵ１４ａは、直近に行われるレース（たとえば本日まもなく行われるレース）が、最終レースの３つ以上前のレースであるか否かを判定する。ＣＰＵ１４ａは、判定結果が肯であればステップＳ１４２に処理を移行し、判定結果が否であればステップＳ１４３に処理を移行する。
【０１０２】
ステップＳ１４２において、ＣＰＵ１４ａは、直近に行われるレースの開催日（たとえば本日）を対象レース日とする。
【０１０３】
ステップＳ１４３において、ＣＰＵ１４ａは、直近に行われるレースの開催日の翌開催日を対象レース日とする。
【０１０４】
図２３は、第２実施形態におけるステップＳ２２０の具体的な内容について説明するフローチャートである。
【０１０５】
ステップＳ２２１において、ＣＰＵ１４ａは、ステップＳ１４０で決定した対象レース日に開催されるオートレースの最終レースの３つ前のレースの１着のナンバーＡを取得する。
【０１０６】
ステップＳ２２２において、ＣＰＵ１４ａは、ステップＳ１４０で決定した対象レース日に開催されるオートレースの最終レースの２つ前のレースの１着のナンバーＢを取得する。
【０１０７】
ステップＳ２２３において、ＣＰＵ１４ａは、ステップＳ１４０で決定した対象レース日に開催されるオートレースの最終レースの１つ前のレースの１着のナンバーＣを取得する。
【０１０８】
ステップＳ２２４において、ＣＰＵ１４ａは、ステップＳ１４０で決定した対象レース日に開催されるオートレースの最終レースの１着のナンバーＤを取得する。
【０１０９】
ステップＳ２２５において、ＣＰＵ１４ａは、的中番号をＡＢＣＤとする。
【０１１０】
このようにすれば、最終レースで的中券が決定されるので、レース投票者の興趣が向上する。なおこの実施形態の場合は、最終レースの３つ前のレース以降、何らかの理由によって、成立しないレースがひとつでもあった場合には、的中券を決定することができなくなるが、レースが成立しないことは、ごく稀であるので、的中券を決定できず、投票券購入者への払い戻しが必要になる頻度は非常に低い。
【０１１１】
（第３実施形態）
上述の実施形態では、１着ナンバーをそのまま的中番号に用いるので、最初のレース（第１実施形態であれば開始レース，第２実施形態であれば最終レースの３つ前のレース）を的中できる確率が１／８であり、その最初のレース結果のみで、投票券購入者が的中しなかったことを認識できてしまって興醒めてしまう可能性がある。そこでこの第３実施形態では、１着ナンバーをそのまま的中番号に用いるではなく、１着ナンバーが奇数であるか偶数であるかということに基づいて、的中券を決定するようにした。具体的には、この実施形態では、オートレース投票番号は、次のように付番されている。すなわち、対象レースは、最終レースの１１前のレースから最終レースであり、対象レースの１着ナンバーが奇数であれば１を、偶数であれば２を付番する。この場合、投票番号は、４０９６（＝２×２×２×２×２×２×２×２×２×２×２×２＝２＾１２）個である。すなわち、「１１１１１１１１１１１１」「１１１１１１１１１１１２」「１１１１１１１１１１２１」「１１１１１１１１１１２２」・・・・・「２２２２２２２２２２２１」「２２２２２２２２２２２２」という投票番号が、付番されている。このように付番されているので、ひとつのユニットの中では、投票番号が重複しない。
【０１１２】
次に具体的な処理内容が以下に説明される。
【０１１３】
図２４は、第３実施形態におけるステップＳ１４０の具体的な内容について説明するフローチャートである。
【０１１４】
ステップＳ１４１において、ＣＰＵ１４ａは、まだ開催されていない直近のレース開催日を対象レース日とする。
【０１１５】
図２５は、第３実施形態におけるステップＳ２２０の具体的な内容について説明するフローチャートである。
【０１１６】
ステップＳ２２０１において、ＣＰＵ１４ａは、ステップＳ１４０で決定した日にちに開催されるオートレースの最終レースの１１前のレースの１着のナンバーを取得する。そして、そのナンバーが奇数であればＡ＝１／偶数であればＡ＝２とする。
【０１１７】
ステップＳ２２０２において、ＣＰＵ１４ａは、ステップＳ１４０で決定した日にちに開催されるオートレースの最終レースの１０前のレースの１着のナンバーを取得する。そして、そのナンバーが奇数であればＢ＝１／偶数であればＢ＝２とする。
【０１１８】
ステップＳ２２０３において、ＣＰＵ１４ａは、ステップＳ１４０で決定した日にちに開催されるオートレースの最終レースの９つ前のレースの１着のナンバーを取得する。そして、そのナンバーが奇数であればＣ＝１／偶数であればＣ＝２とする。
【０１１９】
以下、同様に繰り返し、ステップＳ２２１１において、ＣＰＵ１４ａは、ステップＳ１４０で決定した日にちに開催されるオートレースの最終レースの１つ前のレースの１着のナンバーを取得する。そして、そのナンバーが奇数であればＫ＝１／偶数であればＫ＝２とする。
【０１２０】
ステップＳ２２１２において、ＣＰＵ１４ａは、ステップＳ１４０で決定した日にちに開催されるオートレースの最終レースの１着のナンバーを取得する。そして、そのナンバーが奇数であればＬ＝１／偶数であればＬ＝２とする。
【０１２１】
ステップＳ２２１３において、ＣＰＵ１４ａは、的中番号をＡＢＣＤＥＦＧＨＩＪＫＬとする。
【０１２２】
本実施形態によれば、最初のレースで１／２の確率で的中し、次のレースで、最初のレースの的中券の中で１／２の確率で的中し、・・・、ということになるので、投票券購入者の興趣を長く継続させることができる。また本実施形態のようにしても、投票券は、決められた発行数によって構成されたひとつのユニットの中では重複しないように付番されることとなり、そのユニットで必ずひとつだけ的中する。つまり的中券が存在しない事態が生じない。そして的中口数がひとつだけなので、高額の払い戻しを期待できるのである。
【０１２３】
以上、本発明の実施形態について説明したが、上記実施形態は本発明の適用例の一部を示したに過ぎず、本発明の技術的範囲を上記実施形態の具体的構成に限定する趣旨ではない。
【０１２４】
たとえば、上記説明においては、的中投票券決定システム１０をひとつのコンピューターで構成する場合を例示して説明したが、複数のコンピューターで構成してもよい。
【０１２５】
また第１実施形態では、四重勝単勝式を挙げて説明したが、第３実施形態のようにしてもよいし、それ以外のものとしてもよい。実施形態のものは例に過ぎない。
【０１２６】
また第１実施形態及び第２実施形態では、４レースを対象とし、第３実施形態では、１２レースを対象としているが、対象とするレース数は適宜変更可能である。その場合は、１ユニット当たりの投票券数が変わり、的中確率、払い戻し金額が変わる。
【０１２７】
さらに、実施形態の説明においては、投票券に「投票番号」が付されている場合を挙げて説明したが、「○」「×」「●」「△」といった記号を使用してもよい。
【０１２８】
さらにまた、対象とするレースを、ひとつの開催場（たとえば川口）のレースに限定しても、複数の開催場（たとえば川口・船橋・伊勢崎・浜松・飯塚・山陽）を対象として何れで開催されるレースの開催日を対象レースとしてもよい。複数の開催場を対象にすれば、ほぼ毎日レースが開催されるので、或るユニットが完売したら翌日には的中番号が決定されることとなる。
【０１２９】
また上記説明においては、公営競技として特に小型自動車競走(オートレース)を挙げて説明したが、競馬・競艇・自転車競走(競輪)のような他の公営競技のレース結果を利用してもよい。
【０１３０】
なお上記実施形態は、適宜組み合わせ可能である。たとえば、第３実施形態において、開始レースを定めて、そのレースから、数レースの結果で的中番号を決定してもよい。
【符号の説明】
【０１３１】
１０  的中投票券決定システム
３０  会員端末
Ｓ１２０  投票券割当部／投票券割当工程
Ｓ１４０  日程設定部／日程設定工程
Ｓ１５０  日程通知部／日程通知工程
Ｓ２２０  的中券決定部／的中券決定工程
【図１】
0006548064.tif 000002
【図２】
0006548064.tif 000003
【図３】
0006548064.tif 000004
【図４】
0006548064.tif 000005
【図５】
0006548064.tif 000006
【図６】
0006548064.tif 000007
【図７】
0006548064.tif 000008
【図８】
0006548064.tif 000009
【図９】
0006548064.tif 000010
【図１０】
0006548064.tif 000011
【図１１】
0006548064.tif 000012
【図１２】
0006548064.tif 000013
【図１３】
0006548064.tif 000014
【図１４】
0006548064.tif 000015
【図１５】
0006548064.tif 000016
【図１６】
0006548064.tif 000017
【図１７】
0006548064.tif 000018
【図１８】
0006548064.tif 000019
【図１９】
0006548064.tif 000020
【図２０】
0006548064.tif 000021
【図２１】
0006548064.tif 000022
【図２２】
0006548064.tif 000023
【図２３】
0006548064.tif 000024
【図２４】
0006548064.tif 000025
【図２５】
0006548064.tif 000026